(57)【要約】【課題】利用者の認証を行う際に、その利用者がその利用者と対応付けられた携帯装置を保持しているか否かを判定する。【解決手段】認証部３１は、ウェアラブル端末装置２０を装着したユーザを認証する。制御部３６は、認証したユーザと対応付けられた端末ＩＤの携帯装置に対して、予め設定された動作を行うよう指示する動作指示信号を、近距離無線通信部１５から送信する。制御部３６は、認証部３１により認証したユーザが装着しているウェアラブル端末装置２０の状態変化をカメラ１７により撮像された動画像から検出する。そして、制御部３６は、検出したウェアラブル端末装置２０の状態変化と動作指示信号を送信することにより指示した動作内容とを比較して、認証部３１により認証したユーザと対応付けられたウェアラブル端末装置２０を装着しているか否かを判定する。【選択図】図４
2020144733.tif 000002
【特許請求の範囲】
【請求項１】
携帯装置を保持した利用者を認証する認証手段と、
前記認証手段により認証された利用者と対応付けられた携帯装置に対して、予め設定された動作を行うよう指示する動作指示信号を、無線通信回線を介して送信する送信手段と、
前記認証手段により認証した利用者が保持する携帯装置の状態変化を検出する検出手段と、
前記検出手段により検出された携帯装置の状態変化と前記送信手段により動作指示信号を送信することにより指示した動作内容とを比較して、前記認証手段により認証した利用者と対応付けられた携帯装置を保持しているか否かを判定する判定手段と、
を備えた情報処理装置。
【請求項２】
前記認証手段により認証された利用者と対応付けられた携帯装置の識別情報を特定する特定手段をさらに備え、
前記送信手段が、前記特定手段により特定された識別情報の携帯装置に対して、予め設定された動作を行うよう指示する動作指示信号を、無線通信回線を介して送信する請求項１記載の情報処理装置。
【請求項３】
前記動作指示信号が、携帯装置に対して視覚的な変化を起こす動作を指示し、
前記検出手段が、前記携帯装置の視覚的な変化を状態変化として検出する請求項１又は２記載の情報処理装置。
【請求項４】
前記動作指示信号が、携帯装置に対して発光を指示し、
前記検出手段が、前記携帯装置を含む画像を撮像することにより当該携帯装置の発光を検出する請求項３記載の情報処理装置。
【請求項５】
利用者からの操作を入力する入力手段をさらに備え、
前記動作指示信号が、携帯装置に対して文字情報を表示部に表示し、
前記検出手段が、前記入力手段により入力された文字情報により当該携帯装置の状態変化を検出する請求項３記載の情報処理装置。
【請求項６】
利用者からの操作を入力する入力手段をさらに備え、
前記検出手段が、前記入力手段により入力された利用者の操作により前記携帯装置の状態変化を検出する請求項１又は２記載の情報処理装置。
【請求項７】
前記動作指示信号が、携帯装置に対して音声出力を行う動作を指示し、
前記検出手段が、前記携帯装置から出力される音声出力を検出することにより当該携帯装置の聴覚的変化を検出する請求項１又は２記載の情報処理装置。
【請求項８】
前記判定手段により前記認証手段により認証した利用者と対応付けられた携帯装置を保持していないと判定された場合に、その旨を所定の通知先に通知する通知手段をさらに備えた請求項１から７のいずれか記載の情報処理装置。
【請求項９】
前記携帯装置が、利用者により装着され、利用者の生体情報を検出するセンサを含む請求項１から８のいずれか記載の情報処理装置。
【請求項１０】
前記携帯装置が、利用者により装着され、利用者の位置情報を検出するセンサを含む請求項１から８のいずれか記載の情報処理装置。
【請求項１１】
携帯装置を保持した利用者を認証する認証ステップと、
前記認証ステップにおいて認証された利用者と対応付けられた携帯装置に対して、予め設定された動作を行うよう指示する動作指示信号を、無線通信回線を介して送信する送信ステップと、
前記認証ステップにおいて認証した利用者が保持する携帯装置の状態変化を検出する検出ステップと、
前記検出ステップにおいて検出された携帯装置の状態変化と前記送信ステップにおいて動作指示信号を送信することにより指示した動作内容とを比較して、前記認証ステップにおいて認証した利用者と対応付けられた携帯装置を保持しているか否かを判定する判定ステップと、
をコンピュータに実行させるためのプログラム。
【発明の詳細な説明】
【技術分野】
【０００１】
本発明は、情報処理装置およびプログラムに関する。
【背景技術】
【０００２】
特許文献１には、ユーザの身体的特徴を示す生体情報を検知して個人認証を行うようにした電子機器および認証方法が開示されている。
【先行技術文献】
【特許文献】
【０００３】
【特許文献１】特開２００５−０７１２２５号公報
【発明の概要】
【発明が解決しようとする課題】
【０００４】
本発明の目的は、利用者の認証を行う際に、その利用者がその利用者と対応付けられた携帯装置を保持しているか否かを判定することが可能な情報処理装置およびプログラムを提供することである。
【課題を解決するための手段】
【０００５】
［情報処理装置］
請求項１に係る本発明は、携帯装置を保持した利用者を認証する認証手段と、
前記認証手段により認証された利用者と対応付けられた携帯装置に対して、予め設定された動作を行うよう指示する動作指示信号を、無線通信回線を介して送信する送信手段と、
前記認証手段により認証した利用者が保持する携帯装置の状態変化を検出する検出手段と、
前記検出手段により検出された携帯装置の状態変化と前記送信手段により動作指示信号を送信することにより指示した動作内容とを比較して、前記認証手段により認証した利用者と対応付けられた携帯装置を保持しているか否かを判定する判定手段とを備えた情報処理装置である。
【０００６】
請求項２に係る本発明は、前記認証手段により認証された利用者と対応付けられた携帯装置の識別情報を特定する特定手段をさらに備え、
前記送信手段が、前記特定手段により特定された識別情報の携帯装置に対して、予め設定された動作を行うよう指示する動作指示信号を、無線通信回線を介して送信する請求項１記載の情報処理装置である。
【０００７】
請求項３に係る本発明は、前記動作指示信号が、携帯装置に対して視覚的な変化を起こす動作を指示し、
前記検出手段が、前記携帯装置の視覚的な変化を状態変化として検出する請求項１又は２記載の情報処理装置である。
【０００８】
請求項４に係る本発明は、前記動作指示信号が、携帯装置に対して発光を指示し、
前記検出手段が、前記携帯装置を含む画像を撮像することにより当該携帯装置の発光を検出する請求項３記載の情報処理装置である。
【０００９】
請求項５に係る本発明は、利用者からの操作を入力する入力手段をさらに備え、
前記動作指示信号が、携帯装置に対して文字情報を表示部に表示し、
前記検出手段が、前記入力手段により入力された文字情報により当該携帯装置の状態変化を検出する請求項３記載の情報処理装置である。
【００１０】
請求項６に係る本発明は、利用者からの操作を入力する入力手段をさらに備え、
前記検出手段が、前記入力手段により入力された利用者の操作により前記携帯装置の状態変化を検出する請求項１又は２記載の情報処理装置である。
【００１１】
請求項７に係る本発明は、前記動作指示信号が、携帯装置に対して音声出力を行う動作を指示し、
前記検出手段が、前記携帯装置から出力される音声出力を検出することにより当該携帯装置の聴覚的変化を検出する請求項１又は２記載の情報処理装置である。
【００１２】
請求項８に係る本発明は、前記判定手段により前記認証手段により認証した利用者と対応付けられた携帯装置を保持していないと判定された場合に、その旨を所定の通知先に通知する通知手段をさらに備えた請求項１から７のいずれか記載の情報処理装置である。
【００１３】
請求項９に係る本発明は、前記携帯装置が、利用者により装着され、利用者の生体情報を検出するセンサを含む請求項１から８のいずれか記載の情報処理装置である。
【００１４】
請求項１０に係る本発明は、前記携帯装置が、利用者により装着され、利用者の位置情報を検出するセンサを含む請求項１から８のいずれか記載の情報処理装置である。
【００１５】
［プログラム］
請求項１１に係る本発明は、携帯装置を保持した利用者を認証する認証ステップと、
前記認証ステップにおいて認証された利用者と対応付けられた携帯装置に対して、予め設定された動作を行うよう指示する動作指示信号を、無線通信回線を介して送信する送信ステップと、
前記認証ステップにおいて認証した利用者が保持する携帯装置の状態変化を検出する検出ステップと、
前記検出ステップにおいて検出された携帯装置の状態変化と前記送信ステップにおいて動作指示信号を送信することにより指示した動作内容とを比較して、前記認証ステップにおいて認証した利用者と対応付けられた携帯装置を保持しているか否かを判定する判定ステップと、
をコンピュータに実行させるためのプログラムである。
【発明の効果】
【００１６】
請求項１に係る本発明によれば、利用者の認証を行う際に、その利用者がその利用者と対応付けられた携帯装置を保持しているか否かを判定することが可能な情報処理装置を提供することができる。
【００１７】
請求項２に係る本発明によれば、利用者の認証を行う際に、その利用者がその利用者と対応付けられた携帯装置を保持しているか否かを判定することが可能な情報処理装置を提供することができる。
【００１８】
請求項３に係る本発明によれば、利用者の認証を行う際に、携帯装置に視覚的な変化を起こさせるだけで、その利用者がその利用者と対応付けられた携帯装置を保持しているか否かを判定することが可能な情報処理装置を提供することができる。
【００１９】
請求項４に係る本発明によれば、利用者の認証を行う際に、携帯装置を発光させるだけで、その利用者がその利用者と対応付けられた携帯装置を保持しているか否かを判定することが可能な情報処理装置を提供することができる。
【００２０】
請求項５に係る本発明によれば、利用者の認証を行う際に、携帯装置に文字情報を表示させるだけで、その利用者がその利用者と対応付けられた携帯装置を保持しているか否かを判定することが可能な情報処理装置を提供することができる。
【００２１】
請求項６に係る本発明によれば、利用者の認証を行う際に、携帯装置に文字情報を表示させるだけで、その利用者がその利用者と対応付けられた携帯装置を保持しているか否かを判定することが可能な情報処理装置を提供することができる。
【００２２】
請求項７に係る本発明によれば、利用者の認証を行う際に、携帯装置に音声出力を行わせるだけで、その利用者がその利用者と対応付けられた携帯装置を保持しているか否かを判定することが可能な情報処理装置を提供することができる。
【００２３】
請求項８に係る本発明によれば、利用者が対応付けられた携帯装置を保持していないことを所定の通知先に知らせることが可能な情報処理装置を提供することができる。
【００２４】
請求項９に係る本発明によれば、生体情報を検出するセンサを含む携帯装置を装着した利用者の認証を行う際に、その利用者がその利用者と対応付けられた携帯装置を保持しているか否かを判定することが可能な情報処理装置を提供することができる。
【００２５】
請求項１０に係る本発明によれば、位置情報を検出するセンサを含む携帯装置を装着した利用者の認証を行う際に、その利用者がその利用者と対応付けられた携帯装置を保持しているか否かを判定することが可能な情報処理装置を提供することができる。
【００２６】
請求項１１に係る本発明によれば、利用者の認証を行う際に、その利用者がその利用者と対応付けられた携帯装置を保持しているか否かを判定することが可能なプログラムを提供することができる。
【図面の簡単な説明】
【００２７】
【図１】本発明の一実施形態の情報処理システムのシステム構成を示す図である。
【図２】管理サーバ４０において記憶されているユーザＩＤ管理テーブルの一例を示す図である。
【図３】本発明の一実施形態における画像形成装置１０のハードウェア構成を示すブロック図である。
【図４】本発明の一実施形態における画像形成装置１０の機能構成を示すブロック図である。
【図５】本発明の一実施形態におけるウェアラブル端末装置２０の機能構成を示すブロック図である。
【図６】本発明の一実施形態におけるウェアラブル端末装置２０の外観を示す図である。
【図７】本発明の一実施形態の画像形成装置１０の動作を説明するためのフローチャートである。
【図８】様々な発光パターン例を説明するための図である。
【図９】装着しているウェアラブル端末装置２０をカメラ１７に向けるよう指示する際の表示例を示す図である。
【図１０】ユーザが操作パネル４１により表示された指示に従って腕に装着したウェアラブル端末装置２０をカメラ１７に向けている様子を示す図である。
【図１１】画像形成装置１０の操作パネル４１上にユーザが正しいウェアラブル端末装置２０を装着していない旨を表示した場合の一例を示す図である。
【図１２】発光パターンによりウェアラブル端末装置２０の装着判定を行う場合の動作を説明するためのシーケンスチャートである。
【図１３】ウェアラブル端末装置２０のディスプレイ上に認証番号を表示させた場合の一例を示す図である。
【図１４】認証番号によりウェアラブル端末装置２０の装着判定を行う場合の動作を説明するためのシーケンスチャートである。
【図１５】ウェアラブル端末装置２０のディスプレイ上にコード情報を表示させた場合の一例を示す図である。
【発明を実施するための形態】
【００２８】
次に、本発明の実施の形態について図面を参照して詳細に説明する。
【００２９】
図１は本発明の一実施形態の情報処理システムのシステム構成を示す図である。
【００３０】
本発明の一実施形態の情報処理システムは、図１に示されるように、画像形成装置１０、利用者であるユーザの腕に装着されたウェアラブル端末装置２０と、管理サーバ４０とから構成されている。
【００３１】
そして、画像形成装置１０と管理サーバ４０とはインターネット３０を介して接続されている。また、画像形成装置１０とウェアラブル端末装置２０とはＢＬＥ（Bluetooth(登録商標） Low Energyの略）回線等の近距離無線通信回線を介して接続されている。
【００３２】
なお、画像形成装置１０は、印刷機能、スキャン機能、コピー機能、ファクシミリ機能等の複数の機能を有するいわゆる複合機と呼ばれる装置である。
【００３３】
ウェアラブル端末装置２０は、各種センサを有し、ユーザの腕に装着されて使用され、ユーザの脈拍、血圧等の生体情報や位置情報等の各種センサ情報を収集する機能を備えている。
【００３４】
そして、画像形成装置１０は、ウェアラブル端末装置２０により収集されたセンサ情報を取得してインターネット３０経由にて管理サーバ４０に転送するゲートウェイ装置として機能する。
【００３５】
図１では、１台のウェアラブル端末装置２０しか示されていないが、実際には多数のウェアラブル端末装置２０が存在しており、それぞれのウェアラブル端末装置２０は装着されるべきユーザと対応付けられている。
【００３６】
そして、ウェアラブル端末装置２０にはそれぞれ異なる端末ＩＤが割り振られており、画像形成装置１０では、ウェアラブル端末装置２０から取得したセンサ情報を、そのウェアラブル端末装置２０の端末ＩＤとともに管理サーバ４０に転送する。
【００３７】
そして、管理サーバ４０では、各ユーザをユーザＩＤによりそれぞれ管理しており、図２に示すようなユーザＩＤ管理テーブルを記憶していることにより、画像形成装置１０からセンサ情報とともに転送されてきた端末ＩＤがどのユーザＩＤと対応付けられているのかを特定している。そして、管理サーバ４０は、画像形成装置１０から転送されてきたセンサ情報を、その特定したユーザＩＤのユーザの情報として記憶している。
【００３８】
管理サーバ４０において記憶されているユーザＩＤ管理テーブルの一例を図２に示す。図２に示したユーザＩＤ管理テーブルでは、ユーザＩＤと、ユーザ名と、装置ＩＤとが対応付けられているのが分かる。なお、管理サーバ４０は、画像形成装置１０からユーザＩＤが送信されてくると、送信されてきたユーザＩＤに対応した装置ＩＤを画像形成装置１０に送信する。なお、ユーザＩＤ管理テーブルを、ゲートウェイ装置（この実施例では画像形成装置１０）に予め保持させるようにしても良い。
【００３９】
このようにして取得されたセンサ情報はその後解析され各ユーザの健康状態や行動が評価され、健康状態管理や業務プロセス改革を行うための情報として利用される。
【００４０】
そして、上記の画像形成装置１０をオフィスの様々な場所に設置することにより、数多くのユーザのセンサ情報を取得して管理サーバ４０に集めることができる。
【００４１】
しかし、あるユーザが間違えて他のユーザと対応付けられたウェアラブル端末装置２０を装着してしまうと、そのユーザのセンサ情報が間違って装着したウェアラブル端末装置２０と対応付けられた他のユーザのセンサ情報として記録されてしまう。また、悪意のあるユーザが意図的に他のユーザのウェアラブル端末装置２０を装着するような可能性も考えられる。
【００４２】
このような事態が発生すると、管理サーバ４０に記憶されたセンサ情報が正しい情報ではなくなり、健康状態管理や業務プロセス改革を適切に実行することができなくなる。
【００４３】
そのため、本実施形態の情報処理システムでは、あるユーザが、そのユーザと対応付けられた保持すべきウェアラブル端末装置２０を正しく装着しているか否かを判定する。
【００４４】
次に、本実施形態の情報処理システムにおける画像形成装置１０のハードウェア構成を図３に示す。
【００４５】
画像形成装置１０は、図３に示されるように、ＣＰＵ１１、メモリ１２、ハードディスクドライブ等の記憶装置１３、インターネット３０を介して外部の装置との間で通信を行うための通信インタフェース（ＩＦと略す）１４、ＢＬＥ等の近距離無線通信を行う近距離無線通信部１５、タッチパネル又は液晶ディスプレイ並びにキーボードを含むユーザインタフェース（ＵＩと略す）装置１６、カメラ１７、プリントエンジン１８、ＩＣカードリーダ１９を有する。
【００４６】
ＣＰＵ１１は、メモリ１２または記憶装置１３に格納された制御プログラムに基づいて所定の処理を実行して、画像形成装置１０の動作を制御する。なお、本実施形態では、ＣＰＵ１１は、メモリ１２または記憶装置１３内に格納された制御プログラムを読み出して実行するものとして説明するが、当該プログラムをＣＤ−ＲＯＭ等の記憶媒体に格納してＣＰＵ１１に提供することも可能である。
【００４７】
図４は、上記の制御プログラムが実行されることにより実現される画像形成装置１０の機能構成を示すブロック図である。
【００４８】
本実施形態の画像形成装置１０は、図４に示されるように、認証部３１と、操作入力部３２と、表示部３３と、画像出力部３４と、データ送受信部３５と、制御部３６と、カメラ１７と、データ記憶部３７と、近距離無線通信部１５とを備えている。
【００４９】
認証部３１は、ウェアラブル端末装置２０を装着したユーザを認証する。例えば、ユーザがＩＣカードリーダにＩＣカードをかざすと、認証部３１は、ＩＣカードに記録されたユーザＩＤを、近距離無線通信部１５とは異なる近距離無線通信手段（たとえばＲＦＩＤ：Radio Frequency Identification）を用いて読み取り、そのユーザを特定することにより認証を行う。または、認証部３１は、ユーザにより入力されたユーザＩＤとパスワードとを確認することによりユーザの認証を行うようにしても良い。
【００５０】
表示部３３は、制御部３６により制御され、ユーザに各種情報を表示する。操作入力部３２は、ユーザにより行われた各種操作情報を入力する。なお、表示部３３と操作入力部３２とを一体としたグラフィカルユーザインタフェースとして構成することも可能である。
【００５１】
画像出力部３４は、制御部３６による制御に基づいて、印刷用紙等の記録媒体上に画像を出力する。
【００５２】
データ送受信部３５は、インターネット３０等のネットワークを介して外部の装置との間でデータの送受信を行う。例えば、データ送受信部３５は、ウェアラブル端末装置２０から取得したセンサ情報等の各種情報をインターネット３０経由にて管理サーバ４０に送信する。
【００５３】
カメラ１７は、ユーザの身体の少なくとも一部およびユーザが装着しているウェアラブル端末装置２０を含む静止画像または動画像を撮像する。
【００５４】
データ記憶部３７は、ウェアラブル端末装置２０から取得したセンサ情報を一旦格納したり、制御部３６により生成された印刷データ等の各種データを格納したりする。
【００５５】
近距離無線通信部１５は、ＢＬＥ通信回線を介してウェアラブル端末装置２０からセンサ情報を受信したり、ウェアラブル端末装置２０に対して発光指示信号等の各種動作指示信号を送信したりする。なお、近距離無線通信回線としては、ＢＬＥ通信回線以外にもＷｉ−Ｆｉ（登録商標）のような無線通信回線等を用いることが可能である。
【００５６】
なお、近距離無線通信部１５は、無線電波出力強度を調整することによって、画像形成装置１０から予め設定された距離例えば１ｍ以内にいるユーザの腕に装着されているウェアラブル端末装置２０のみに発光指示信号を送信することが可能である。
【００５７】
制御部３６は、画像形成装置１０の他の構成要素の動作を制御している。例えば、画像形成装置１０を利用しようとするユーザが認証部３１により認証されると、制御部３６は、認証されたユーザからの各種操作を受け付けてコピー、プリント、ＦＡＸ送受信等の各種操作を行う。
【００５８】
そして、ユーザが認証部３１により認証された際に、制御部３６は、認証部３１により認証されたユーザと対応付けられたウェアラブル端末装置２０の識別情報である端末ＩＤを特定する。具体的には、御部３６は、認証部３１により認証されたユーザのユーザＩＤを管理サーバ４０に送信することにより、そのユーザＩＤと対応付けられた端末ＩＤを管理サーバ４０から取得する。
【００５９】
そして、制御部３６は、特定した端末ＩＤの携帯装置に対して、予め設定された動作を行うよう指示する動作指示信号を、近距離無線通信部１５から近距離無線通信回線であるＢＬＥ通信回線を介して送信する。
【００６０】
具体的には、制御部３６は、端末ＩＤを指定した発光指示信号をウェアラブル端末装置２０に送信することにより、予め設定された複数の発光パターンの中からランダムに選択した発光パターンでウェアラブル端末装置２０の発光部が発光するような動作指示をウェアラブル端末装置２０に対して行う。
【００６１】
このように一定の発光パターンではなく、ユーザが予想し難い発光パターンとすることにより、正しいウェアラブル端末装置２０を装着していないユーザが意図的に発光パターンを別の手段により再現して誤判定させようとした場合でも、そのような誤判定を起こさせることが困難となる。
【００６２】
そして、制御部３６は、認証部３１により認証したユーザが装着しているウェアラブル端末装置２０の状態変化をカメラ１７により撮像された動画像から検出する。具体的には、そして、制御部３６は、認証部３１により認証したユーザが装着しているウェアラブル端末装置２０が含まれる動画像をカメラ１７により撮像することによりウェアラブル端末装置２０の発光パターンを検出する。
【００６３】
または、制御部３６は、表示部３３において「光の点滅に合わせて、ボタンを押してください。」というような表示を行い、ウェアラブル端末装置２０の発光パターンに同期してユーザに特定のボタンを押させることにより、そのユーザが対応付けられたウェアラブル端末装置２０を装着していることを確認するようにしても良い。
【００６４】
なお、ウェアラブル端末装置２０によりユーザの脈拍等の生体情報を連続して取得するような場合、制御部３６は、ユーザが対応付けられたウェアラブル端末装置２０を装着していることを確認した時点から生体情報が途切れることなく検出されていることを確認することにより、正しいウェアラブル端末装置２０が装着され続けていると判定を行うようにしても良い。
【００６５】
最後に、制御部３６は、検出したウェアラブル端末装置２０の状態変化と動作指示信号を送信することにより指示した動作内容とを比較して、認証部３１により認証したユーザと対応付けられたウェアラブル端末装置２０を装着しているか否かを判定する。
【００６６】
具体的には、制御部３６は、カメラ１７により撮像した動画像から得られた発光パターンと、発光指示信号を送信することにより指示した発光パターンとが一致していると評価した場合、認証部３１により認証したユーザが、装着すべき正しいウェアラブル端末装置２０を装着しているものと判定する。
【００６７】
逆に、制御部３６は、カメラ１７により撮像した動画像から得られた発光パターンと、発光指示信号を送信することにより指示した発光パターンとが一致していると評価できなかった場合、認証部３１により認証したユーザが、装着すべき正しいウェアラブル端末装置２０を装着していない、つまり他のユーザと対応付けられたウェアラブル端末装置２０を誤って装着しているものと判定する。
【００６８】
なお、本実施形態では、画像形成装置１０からウェアラブル端末装置２０に対して送信する発光指示信号によりウェアラブル端末装置２０を所定の発光パターンにより発光させるものであったが、画像形成装置１０からウェアラブル端末装置２０に対して何らかの視覚的な変化を行う動作を指示して、カメラ１７により、ウェアラブル端末装置２０の視覚的な変化を状態変化として検出するようにしても良い。
【００６９】
例えば、ウェアラブル端末装置２０に動作指示信号を送信することにより、ウェアラブル端末装置２０の色彩や形状を変化させるようにしても良いし、ディスプレイに特定の文字、数字、記号等を表示させるようにしても良い。
【００７０】
そして、ウェアラブル端末装置２０のディスプレイ上に特定の文字、数字、記号、絵文字、スタンプ等の画像等やそれらの組み合わせを表示させた場合には、この文字等をカメラ１７により撮像して検出しても良い。この場合に表示させる文字、数字、記号、絵文字、スタンプ等の画像等の組み合わせは、ユーザが予測あるいは模倣が困難になるように、大きさ、色、表示時間、表示回数、表示個数、表示間隔、表示パターン等を、ウェアラブル端末装置２０の装着確認を行う際に、変化させてもよい。あるいは、ディスプレイ上の表示内容の確認手段としては、カメラ１７による撮像に代えて、あるいは、カメラによる撮像と組み合わせて、操作入力部３２から表示した文字情報をウェアラブル端末２０の装着者に入力してもらい、入力された文字情報によりウェアラブル端末装置２０に表示された文字情報を検出するようにしても良い。
【００７１】
また、ウェアラブル端末装置２０に対して視覚的変化を起こさせるのではなく、ウェアラブル端末装置２０から音声を出力するという状態変化を起こさせてその状態変化を画像形成装置１０の音声検出装置により検出するようにしても良い。具体的には、画像形成装置１０に音声を検出するためのマイクを備えるようにして、制御部３６から音声出力指示信号をウェアラブル端末装置２０に送信してウェアラブル端末装置２０に対して音声出力を行う動作を指示して、その音声出力をマイクにより検出するようにすれば良い。
【００７２】
そして、制御部３６は、ウェアラブル端末装置２０から出力される音声出力を検出することによりそのウェアラブル端末装置２０の聴覚的変化を検出することにより、認証を行ったユーザが装着すべきウェアラブル端末装置２０を装着しているか否かを判定する。
【００７３】
さらに、画像形成装置１０から動作指示信号をウェアラブル端末装置２０に送信して、ウェアラブル端末装置２０において触覚的な変化、例えば振動を発生させて、この触覚的な変化を検出するようにしても良い。また、ユーザがウェアラブル端末装置２０の振動の開始、停止に応じて、画像形成装置１０の特定のボタンを操作するよう指示して、ユーザがその特定のボタンを操作することにより、ウェアラブル端末装置２０の振動の開始、停止を検出するようにしても良い。
【００７４】
さらに、ウェアラブル端末装置２０から送信される無線信号を受信する受信機を画像形成装置１０に備えるようにして、画像形成装置１０から特定の周波数の無線信号を送信する動作を指示する動作指示信号をウェアラブル端末装置２０に送信し、ウェアラブル端末装置２０から送信された特定周波数の無線信号を画像形成装置１０で受信することによりウェアラブル端末装置２０の状態変化を検出するようにしても良い。
【００７５】
そして、制御部３６は、認証部３１により認証したユーザが、対応付けられたウェアラブル端末装置２０を装着していないと判定された場合に、その旨を所定の通知先に通知する。
【００７６】
具体的には、制御部３６は、画像形成装置１０の表示部３３に正しいウェアラブル端末装置２０が装着されていない旨を表示することにより通知を行っても良い。または、制御部３６は、装着するよう設定されているウェアラブル端末装置２０を適切に装着していないユーザがいる旨とそのユーザＩＤとを対応付けて、予め設定されたメールアドレス等の情報を用いて特定の通知先に通知するようにしても良い。通知先としては、例えば現在のウェアラブル端末装置２０を装着している、装着部３１により認証されたユーザのメールアドレスが挙げられる。他には、そのウェアラブル端末装置２０にユーザＩＤ管理テーブル中で対応付けられたユーザのメールアドレスであったり、システムを管理する管理者のメールアドレスが挙げられる。
【００７７】
また、管理サーバ４０を通知先として、認証したユーザが、対応付けられたウェアラブル端末装置２０を装着していないと判定されたことを通知してもよい。なお、認証されたユーザが、そのユーザに対応付けられたウェアラブル端末装置２０を装着していることを、通知先に通知するようにすることも可能である。
【００７８】
また、装着していること、および／あるいは、装着していないことを示す情報を、装着状態を判定した時刻情報、ユーザ認証を行ったゲートウェイ装置（ここでは画像形成装置２０）の特定情報、と共に通知先に通知するようにしても良い。装着していること／装着していないことの情報、判定時刻情報、ユーザ認証を行ったゲートウェイ装置の特定情報を同時に通知して、管理サーバ４０等に保存しておくことで、ウェアラブル端末装置２０の装着確認を行ったゲートウェイ装置について、経時的に特定することができる。なお、ウェアラブル端末装置２０が位置計測センサ（ＧＰＳ）を備えている場合には、検出された位置情報を管理サーバ４０等に通知してもよい。
【００７９】
そして、制御部３６は、認証されたユーザが対応付けられたウェアラブル端末装置２０を装着していない場合には、そのウェアラブル端末装置２０から取得したセンサ情報は無効なセンサ情報であるとして破棄して管理サーバ４０に転送しないようにしても良いし、正常なセンサ情報ではないことを示す情報とともにセンサ情報を管理サーバ４０に転送するようにしても良い。
【００８０】
また、制御部３６は、認証されたユーザが対応付けられたウェアラブル端末装置２０を装着している場合には、そのウェアラブル端末装置２０から送信されてきたセンサ情報は有効なセンサ情報であるとして処理を行う。具体的には、制御部３６は、認証されたユーザが対応付けられたウェアラブル端末装置２０を装着している場合には、そのウェアラブル端末装置２０から送信されてきたセンサ情報を有効である旨とともに管理サーバ４０に転送する。
【００８１】
なお、管理サーバ４０では、画像形成装置１０から転送されてきたセンサ情報に基づいて各ユーザの活動分析や健康状態解析等を行う際には、正常なセンサ情報ではない旨とともに転送されてきたセンサ情報を使用することなく各種分析を行うようにすることで、各ユーザに関して、より精度の高い分析が可能となる。
【００８２】
または、管理サーバ４０では、画像形成装置１０から転送されてきたセンサ情報に基づいて各ユーザの活動分析や健康状態解析等を行う際に、そのユーザと対応付けられた正しいウェアラブル端末装置２０の装着が確認できた旨とともに転送されてきた有効なセンサ情報のみを用いて各種分析を行うようにしても良い。
【００８３】
次に、本実施形態におけるウェアラブル端末装置２０の機能構成を図５のブロック図を参照して説明する。
【００８４】
ウェアラブル端末装置２０は、図５に示されるように、ＬＥＤ２１と、表示部２２と、生体情報検出センサ２３と、制御部２４と、ＧＰＳ(Global Positioning System）受信部２５と、データ記憶部２６と、近距離無線通信部２７とを備えている。
【００８５】
ＬＥＤ２１は、制御部３６による制御され、点灯または消灯のいずれかの状態となることにより発光動作を行う発光手段である。ここで、発光手段としては、本実施形態のＬＥＤ２１やＥＬ（Electro  Luminescence）素子のように素子自体が発光するものであっても良いし、液晶表示素子とバックライトを組み合わせて液晶のシャッター動作によりバックライトの光を透過させることで光を放出させて発光させるものであっても良い。
【００８６】
生体情報検出センサ２３は、ウェアラブル端末装置２０が装着されたユーザの脈拍、血圧、体温等の各種生体情報を検出する。ＧＰＳ受信部２５は、ユーザの位置情報を検出する。
【００８７】
データ記憶部２６は、生体情報検出センサ２３により検出された各種生体情報や、ＧＰＳ受信部２５において検出された位置情報を時刻情報とともに記憶する。
【００８８】
近距離無線通信部２７は、画像形成装置１０との間でＢＬＥ通信回線を介してデータの送受信を行う。表示部２２は、制御部２４による制御に基づいて、各種文字情報をユーザに表示する。
【００８９】
制御部２４は、データ記憶部２６に記憶された生体情報や位置情報等の各種センサ情報を、近距離無線通信部２７を介して画像形成装置１０に送信する。
【００９０】
また、制御部２４は、近距離無線通信部２７を介して画像形成装置１０から受信した動作指示信号に基づいて動作を行う。具体的には、制御部２４は、近距離無線通信部２７を介して画像形成装置１０から受信した発光指示信号に基づいて、ＬＥＤ２１の点灯／消灯を行うことにより発光動作を行う。
【００９１】
なお、この発光指示信号には、発光を指示するウェアラブル端末装置２０を特定するための端末ＩＤが含まれており、制御部２４は、発光指示信号に含まれた端末ＩＤと自装置の端末ＩＤとが一致した場合にのみ、受信した発光指示信号に基づいた発光動作を行う。
【００９２】
このような構成のウェアラブル端末装置２０の外観を図６に示す。図６に示したウェアラブル端末装置２０では、ディスプレイの一部にＬＥＤ２１が配置されている。
【００９３】
次に、本実施形態の情報処理システムの動作について図面を参照して詳細に説明する。
【００９４】
先ず、本実施形態の画像形成装置１０の動作を図７のフローチャートを参照して説明する。
【００９５】
ユーザが画像形成装置１０を利用しようとして自己のユーザＩＤが記憶されたＩＣカードを画像形成装置１０のＩＣカードリーダに近接させることにより、画像形成装置１０は、ステップＳ１０１において、そのユーザの認証を行う。
【００９６】
すると、画像形成装置１０は、ステップＳ１０２において、認証したユーザのユーザＩＤをインターネット３０経由にて管理サーバ４０に送信する。
【００９７】
その後、画像形成装置１０は、ステップＳ１０３において、ユーザＩＤに対応した端末ＩＤを管理サーバ４０から受信する。
【００９８】
すると、画像形成装置１０では、ステップＳ１０４において、予め用意されている複数の発光パターンの中からランダムに１つの発光パターンを選択して、ユーザＩＤに対応した端末ＩＤを指定した発光信号をＢＬＥ通信回線経由にてウェアラブル端末装置２０に送信する。
【００９９】
このような発光パターン例を図８に示す。図８では、例えば、５００ｍｓ間の点灯と５００ｍｓ間の消灯を繰り返すような発光パターンが発光パターン１として設定され、４００ｍｓ間の点灯、１００ｍｓ間の消灯を繰り返すような発光パターンが発光パターン２として設定されているのが分かる。同様に図８では、１０００ｍｓ間の点灯、２００ｍｓ間の消灯を繰り返すような発光パターンが発光パターン３として設定されているのが分かる。
【０１００】
画像形成装置１０では、このような複数の発光パターンの中から任意の発光パターンがランダムに選択されるため、ユーザは今回の発光パターンを推測することが困難なようになっている。
【０１０１】
そして、画像形成装置１０は、ステップＳ１０５において、例えば図９に示すような表示を操作パネル４１上に表示させることにより、ユーザが装着しているウェアラブル端末装置２０をカメラ１７により撮像する。ここでは、ウェアラブル端末装置２０のＬＥＤ２１の発光パターンを撮像するため、ウェアラブル端末装置２０の動画像がカメラ１７により撮像される。
【０１０２】
ユーザが操作パネル４１により表示された指示に従って腕に装着したウェアラブル端末装置２０をカメラ１７に向けている様子を図１０に示す。
【０１０３】
そして、画像形成装置１０では、ステップＳ１０６において、カメラ１７により撮像した動画像から検出された発光パターンと、発光指示信号により指示を行った発光パターンとが一致するか否かが判定される。
【０１０４】
ここで、ユーザがユーザＩＤに対応した端末ＩＤのウェアラブル端末装置２０を正しく装着している場合には、そのユーザが腕に装着しているウェアラブル端末装置２０のＬＥＤ２１は、画像形成装置１０から送信された発光指示信号に基づいて、指示された発光パターンで発光を行うはずである。
【０１０５】
そのため、ステップＳ１０６において発光パターンが一致したと判定された場合、画像形成装置１０は、ステップＳ１０７において、ユーザが正しいウェアラブル端末装置２０を装着していると判定する。
【０１０６】
また、ステップＳ１０６において発光パターンが一致しないと判定された場合、画像形成装置１０は、ステップＳ１０８において、ユーザが正しいウェアラブル端末装置２０を装着していないと判定する。
【０１０７】
そして、画像形成装置１０では、ステップＳ１０９において、ユーザが正しいウェアラブル端末装置２０を装着していない旨を操作パネル４１上に表示する等により通知する。
【０１０８】
このようにして操作パネル４１上にユーザが正しいウェアラブル端末装置２０を装着していない旨を表示した場合の一例を図１１に示す。図１１では、「あなたが装着しているウェアラブル端末装置は他人のものではありませんか？確認してください。」という文字が操作パネル４１上に表示され、装着しているウェアラブル端末装置２０が、そのユーザが装着すべき正しいウェアラブル端末装置２０であることを確認するよう促すような内容が表示されているのが分かる。
【０１０９】
最後に、上記で説明したウェアラブル端末装置２０、画像形成装置１０、管理サーバ４０のデータの送受信の様子を図１２のシーケンスチャートに示す。
【０１１０】
先ず、画像形成装置１０は、ステップＳ２０１においてユーザ認証を行うと、ステップＳ２０２において、認証したユーザのユーザＩＤを管理サーバ４０に送信する。
【０１１１】
すると、管理サーバ４０は、ステップＳ２０３において、送信されてきたユーザＩＤに対応した端末ＩＤを画像形成装置１０に送信する。
【０１１２】
そして、画像形成装置１０では、ステップＳ２０４において、発光パターンが選択され、ステップＳ２０５において、選択された発光パターンを行うような発光指示信号を、管理サーバ４０から受信した端末ＩＤを指定してウェアラブル端末装置２０に送信する。
【０１１３】
すると、画像形成装置１０からの発光指示信号を受信したウェアラブル端末装置２０は、ステップＳ２０６において、受信した発光指示信号に基づいた発光パターンによる発光動作を行う。
【０１１４】
そして、画像形成装置１０は、ステップＳ２０７において、ウェアラブル端末装置２０の発光動作の動画像をカメラ１７により撮像する。
【０１１５】
次に、画像形成装置１０では、ステップＳ２０８において、送信した発光指示信号の発光パターンと、撮像された動画像中におけるウェアラブル端末装置２０の発光パターンとが一致するか否かの判定が行われる。
【０１１６】
そして、画像形成装置１０は、ステップＳ２０９において、発光パターンが一致するか否かの判定結果に基づいて、ユーザが装着しているウェアラブル端末装置２０が、そのユーザと対応付けられたものであるのか否かを判定する装着判定を行う。
【０１１７】
なお、上記実施形態では、主としてウェアラブル端末装置２０を特定の発光パターンにより発光するか否かをカメラ１７によって確認することにより、認証したユーザが正しいウェアラブル端末装置２０を装着しているか否かの確認を行うものであった。
【０１１８】
しかし、ウェアラブル端末装置２０に特定の認証番号を表示させ、表示された認証番号をユーザに入力させることで、カメラを使わずに、認証したユーザが正しいウェアラブル端末装置２０を装着しているか否かの確認を行うことも可能である。
【０１１９】
例えば、ウェアラブル端末装置２０のディスプレイ上に図１３に示すような認証番号を表示させ、表示させた認証番号がユーザから画像形成装置１０に入力されたことが確認できた場合に、ユーザが正しいウェアラブル端末装置２０を装着していると確認することができる。
【０１２０】
このような認証番号によりウェアラブル端末装置２０の装着判定を行う場合の動作を図１４のシーケンスチャートを参照して説明する。
【０１２１】
先ず、画像形成装置１０は、ステップＳ３０１においてユーザ認証を行うと、ステップＳ３０２において、認証したユーザのユーザＩＤを管理サーバ４０に送信する。
【０１２２】
すると、管理サーバ４０は、ステップＳ３０３において、送信されてきたユーザＩＤに対応した端末ＩＤを画像形成装置１０に送信する。
【０１２３】
そして、画像形成装置１０では、ステップＳ３０４において、表示する認証番号を決定する。そして、画像形成装置１０は、ステップＳ３０５において、決定した認証番号を表示するような表示指示信号を、管理サーバ４０から受信した端末ＩＤを指定してウェアラブル端末装置２０に送信する。
【０１２４】
すると、画像形成装置１０からの表示指示信号を受信したウェアラブル端末装置２０は、ステップＳ３０６において、受信した表示指示信号に基づいて認証番号をディスプレイ上に表示する。
【０１２５】
そして、画像形成装置１０は、ステップＳ３０７において、ユーザから認証番号を入力する。
【０１２６】
次に、画像形成装置１０では、ステップＳ３０８において、表示指示信号により表示させた認証番号と、ユーザから入力された認証番号とが一致するか否かの判定が行われる。
【０１２７】
そして、画像形成装置１０は、ステップＳ３０９において、認証番号が一致するか否かの判定結果に基づいて、ユーザが装着しているウェアラブル端末装置２０が、そのユーザと対応付けられたものであるのか否かを判定する装着判定を行う。
【０１２８】
さらに、ウェアラブル端末装置２０のディスプレイ上に認証番号を表示するのではなく、ＱＲコード（登録商標）等の人間の目視では判読不可能なコード情報を表示させ、このコード情報をウェアラブル端末装置１０のカメラ１７により撮像することにより、表示させたコード情報と撮像したコード情報とが一致するか否かを判定してウェアラブル端末装置２０の装着判定を行うようなことも可能である。
【０１２９】
このようなコード情報をウェアラブル端末装置２０のディスプレイ上に表示させた場合の一例を図１５に示す。
【０１３０】
[変形例]
上記実施形態では、ユーザが装着すべきウェアラブル端末装置２０を正しく装着しているか否かの判定を行う場合について説明したが、本発明はこのような構成に限定されるものではない。無線通信機能および、画像形成装置１０からの発光指示信号に応じて発光する機能を備えユーザが保持可能な携帯装置であれば、本発明を同様に適用可能である。
【０１３１】
そして、この携帯装置を、例えば名札や制服に埋め込むことにより、ユーザが装着すべき名札を装着しているのか、支給された自己の制服を着ているのかのように、ユーザが保持すべき携帯装置およびその携帯装置が埋め込まれた物を保持しているか否かを判定するような場合でも同様に適用することができるものである。
【０１３２】
また、上記実施形態では、ウェアラブル装置２０から取得したセンサ情報を画像形成装置１０が管理サーバ４０に転送する場合を用いて説明したが、本発明はこれに限定されるものではなく、利用に際してユーザの認証を行う情報処理装置であれば、画像形成装置１０以外の他の情報処理装置に対しても本発明を同様に適用することができるものである。
【０１３３】
例えば、現金の入金や出金の際にユーザを認証するＡＴＭ（Automatic Teller Machineの略）装置、電車やバス等の公共交通機関の入場ゲート、運転する運転者を認証する自動車、マンション、ビル、ホール、部屋への入場者を認証する認証装置、ユーザ認証を行うパーソナルコンピュータ、スマートフォン等の個人所有の端末装置等のように、利用するユーザを認証する装置であれば、そのユーザに対応付けられた携帯装置または携帯物を正常に保持しているか否か判定する際にも本発明は同様に適用可能である。
【符号の説明】
【０１３４】
１０    画像形成装置
１１    ＣＰＵ
１２    メモリ
１３    記憶装置
１４    通信インタフェース
１５    近距離無線通信部
１６    ユーザインタフェース装置
１７    カメラ
１８    プリントエンジン
１９    ＩＣカードリーダ
２０    ウェアラブル端末装置
２１    ＬＥＤ
２２    表示部
２３    生体情報検出センサ
２４    制御部
２５    ＧＰＳ受信部
２６    データ記憶部
２７    近距離無線通信部
３０    インターネット
３１    認証部
３２    操作入力部
３３    表示部
３４    画像出力部
３５    データ送受信部
３６    制御部
３７    データ記憶部
４０    管理サーバ
４１    操作パネル
【図１】
2020144733.tif 000003
【図２】
2020144733.tif 000004
【図３】
2020144733.tif 000005
【図４】
2020144733.tif 000006
【図５】
2020144733.tif 000007
【図６】
2020144733.tif 000008
【図７】
2020144733.tif 000009
【図８】
2020144733.tif 000010
【図９】
2020144733.tif 000011
【図１０】
2020144733.tif 000012
【図１１】
2020144733.tif 000013
【図１２】
2020144733.tif 000014
【図１３】
2020144733.tif 000015
【図１４】
2020144733.tif 000016
【図１５】
2020144733.tif 000017